(57)【要約】【課題】単一の操作キーに対する操作でキーロックの設定とマナーモードの設定を行う。【解決手段】キーロックスイッチ２４１を操作することにより、キー操作無効設定を目的としたキーロックの設定と、少なくとも着信音の鳴動を抑止するマナーモードの設定とを連動して行わせる。連動動作の有無は、初期設定でユーザが選択可能としてもよい。キーロックスイッチ２４１とは別に、マナーモードの設定のみを行うマナーキー２４２を設けてもよい。【選択図】図１
2006050033.tif 000002
【特許請求の範囲】
【請求項１】
キーロック機能とマナーモード機能とを備えた携帯電話機において、
キーロックを指示するための操作キーを備え、この操作キーが操作されたときキーロックの設定と連動してマナーモードの設定を行うことを特徴とする携帯電話機。
【請求項２】
前記操作キーが操作されたときキーロックの設定と連動してマナーモードの設定を行うか否かを設定する連動設定手段を備え、連動設定がなされない場合には前記操作キーの操作にしたがってキーロックのみの設定を行うことを特徴とする請求項１記載の携帯電話機。
【請求項３】
キーロックの設定とマナーモードの設定の両方が行われた状態において前記操作キーが操作されたとき、キーロックの解除とともにマナーモードの解除を行うことを特徴とする請求項１記載の携帯電話機。
【請求項４】
表示部および操作部を有する上部筐体と、キー入力部を有する下部筐体とが二つ折り可能であり、二つ折り状態においても上部筐体の主表面上に前記表示部および操作部が露出されうることを特徴とする請求項１記載の携帯電話機。
【請求項５】
上部筐体を下部筐体に重ねた状態から上部筐体を下部筐体に対して１８０度スライド回転させることにより下部筐体上の前記キー入力部が現れることを特徴とする請求項４記載の携帯電話機。
【請求項６】
前記操作キーとは別に、単独でマナーモードを設定する他の操作キーを備えることを特徴とする請求項１記載の携帯電話機。
【請求項７】
前記操作キーは筐体の側部に常時露出して設けられていることを特徴とする請求項１〜６のいずれかに記載の携帯電話機。
【請求項８】
表示部および操作部を有する上部筐体と、キー入力部を有する下部筐体とが二つ折り可能であり、二つ折り状態においても上部筐体の主表面上に前記表示部および操作部が露出されうる携帯電話機において、
操作キーやボタンの操作を一時的に無効化するキーロック設定手段と、
少なくとも着信音の鳴動を抑止するマナーモード設定手段と、
前記上部筐体または下部筐体の側部に設けられた、キーロックを指示するための操作キーとを備え、
この操作キーが操作されたときキーロックの設定と連動してマナーモードの設定を行う制御手段と、
を備えたことを特徴とする携帯電話機。
【発明の詳細な説明】
【技術分野】
【０００１】
本発明は、キーロック機能およびマナーモード機能を備えた携帯電話機に関する。
【背景技術】
【０００２】
現在、市販されているすべての携帯電話機にはマナーモードの設定機能が備えられている。マナーモードは、電車内、映画館等、公共の場所での着信時に着信音により周囲の者に迷惑が掛かることのないように、予め着信音を鳴動させないようにする動作モードである。通常、マナーモードの設定のために、マナーキーと呼ばれる特定の操作キーが設けられており、この操作キーを操作することにより、即座にマナーモードに移行できるようになっている（例えば、特許文献１参照）。マナーモードへの移行後は同じ操作キーの操作により、通常モードへ復帰することができる。
【０００３】
一方、いわゆるストレート型の携帯電話機や、一部の二つ折り型の携帯電話機では、電話の発呼等の動作を行うことのできる操作キーやボタンが常時外部に露出した状態となっている。このような機種では、鞄等に収納された状態での誤操作の発生を防止するために、操作キーやボタンの操作を一時的に無効化するキーロック機能（キー操作無効設定）が用意されている。このキーロック機能の操作も、即座に行えるように、その操作用に特定の操作キーが用意されることが多い。
【０００４】
なお、利用者本人以外の者の使用を防止するためのセキュリティを目的とするキーロック（ダイヤルロックとも呼ばれる）機能も知られている（例えば、特許文献２参照）。ダイヤルロックの場合には、一旦ロック状態になった後、元の状態へ復帰するには暗証番号の入力が必要とされる。しかし、キー操作無効設定のためのキーロックの場合には、単に一時的に誤操作を防止することが目的なので、元の状態への復帰に暗証番号の入力は要求されない。以下、本発明におけるキーロック機能はキー操作無効設定を目的とするものとする。
【特許文献１】特開平１０−１０８２５５号公報
【特許文献２】特開２００３−２８３６４９号公報
【発明の開示】
【発明が解決しようとする課題】
【０００５】
ところで、電車等に乗る際等、公共の場所で、携帯電話機を鞄内に収納しておくような場合、キーロックとマナーモードとを共に設定したい場合がある。このような場合、従来、携帯電話機に対してそれぞれ別個の操作でキーロックの設定とマナーモードの設定を行う必要があった。
【０００６】
各設定自体は特に時間を要する煩雑な操作とはいえないが、その都度、意識して両方の操作を行うことは面倒である。また、両機能の設定後に元の状態へ復帰するためには、両機能の復帰操作も別々に行う必要がある。したがって、面倒くさがりのユーザ等には、マナーモードが利用されない可能性があり、マナーに反する結果となったり、ユーザの意思に沿わない誤操作が発生したりするおそれがあった。
【０００７】
本発明はこのような背景においてなされたものであり、その目的は、単一の操作キーに対する操作でキーロックの設定とマナーモードの設定を行うことができる携帯電話機を提供することにある。
【課題を解決するための手段】
【０００８】
本発明による携帯電話機は、キーロック機能とマナーモード機能とを備えた携帯電話機において、キーロックを指示するための操作キーを備え、この操作キーが操作されたときキーロックの設定と連動してマナーモードの設定を行うことを特徴とする。
【０００９】
これにより、単一の操作キーに対するキーロックの指示操作によって、キーロックの設定が行われるとともに、マナーモードの設定が併せて行われる。
【００１０】
前記操作キーが操作されたときキーロックの設定と連動してマナーモードの設定を行うか否かを設定する連動設定手段を備え、連動設定がなされない場合には前記操作キーの操作にしたがってキーロックのみの設定を行うようにしてもよい。これにより、キーロックの設定をマナーモードの設定と連動させたくない場合に、ユーザの選択により連動動作の有無が選択可能となる。
【００１１】
キーロックの設定とマナーモードの設定の両方は同じ操作キーの操作によりともに解除することができる。これにより、解除に要する手間が軽減される。
【００１２】
本発明は、表示部および操作部を有する上部筐体と、キー入力部を有する下部筐体とが二つ折り可能であり、二つ折り状態においても上部筐体の主表面上に前記表示部および操作部が露出される携帯電話機に利用して好適である。
【００１３】
前記操作キーとは別に、単独でマナーモードを設定する他の操作キーを備えてもよい。これは、マナーモードのみの設定を行いたい場合に有用である。
【００１４】
前記操作キーは筐体の側部に常時露出して設けられていることが好ましい。これにより、二つ折り型の携帯電話機であっても、筐体を開くことなく同操作キーの操作が行える。
【００１５】
本発明の携帯電話機は、より具体的には、表示部および操作部を有する上部筐体と、キー入力部を有する下部筐体とが二つ折り可能であり、二つ折り状態においても上部筐体の主表面上に前記表示部および操作部が露出されうる携帯電話機において、操作キーやボタンの操作を一時的に無効化するキーロック設定手段と、少なくとも着信音の鳴動を抑止するマナーモード設定手段と、前記上部筐体または下部筐体の側部に設けられた、キーロックを指示するための操作キーとを備え、この操作キーが操作されたときキーロックの設定と連動してマナーモードの設定を行う制御手段とを備えたことを特徴とする。
【発明の効果】
【００１６】
本発明によれば、単一の操作キーに対する操作によって、キーロックの設定とともにマナーモードの設定が併せて行われることにより、キーロックとマナーモードの両方の設定操作を行う手間が省略される。これにより、マナーモードの設定忘れも防止される。
【００１７】
このような連動設定をユーザが選択できるようにすれば、必要に応じて連動動作を抑止することができる。
【００１８】
連動設定によるキーロックおよびマナーモードの両方が設定されている場合には、同操作キーへの単一の操作によって両方の設定を解除することにより、利便性が向上する。
【発明を実施するための最良の形態】
【００１９】
以下、本発明の好適な実施の形態について、図面を参照しながら、詳細に説明する。
【００２０】
図１は、本発明が適用された携帯電話機１００の外観図である。この携帯電話機は、上部筐体１０２と下部筐体２０２とがヒンジ結合され、二つ折り可能に構成されている。図は、上下筐体が重ね合わされた閉鎖状態を示している。この状態で、上部筐体１０２の主表面上に表示部１０３および操作部１０５（後述）が常に露出されている。上部筐体１０２の側部には、マナーモードを設定するためのマナーキー２４２およびメッセージ等の録音を行うためのメモキー２４３が配置されている。この例では、両キーはシーソー型のスイッチとして構成されているが、別個独立のキーであってもよい。下部筐体２０２の側部には、一時的に操作部１０５および後述するキー入力部等の各種キーやボタンの操作を一時的に無効化するための操作キーとしてキーロックスイッチ２４１が設けられている。この例では、キーロックスイッチ２４１はスライドスイッチとして構成され、ユーザがスライドさせた力を解放した後は、自動的に元の位置に戻る構造となっている。
【００２１】
図２は上下筐体が重ね合わされた閉鎖状態の平面図、図３は上下筐体が開かれた開放状態の平面図を示している。この例では、上部筐体１０２を下部筐体２０２に重ねた状態（図１）から上部筐体１０２を下部筐体２０２に対して、１８０度スライド回転させることにより下部筐体２０２上のキー入力部２０１が現れる型（いわゆる１８０度オープンスタイル型またはスライド回転型）の携帯電話機を示している。
【００２２】
図２に示した閉鎖状態では、下部筐体２０２の主表面に対して上部筐体１０２の背面が重なるように、両筐体が互いに重ね合わされている。図３によく表れているように、上部筐体１０２の下側端部と下部筐体２０２の上側端部とが重なって、この位置に設けられたヒンジ部を中心に、上部筐体１０２が下部筐体２０２に対して右回りまたは左回りにスライド回転する。その回転軸は両筐体の主表面にほぼ垂直の方向である。
【００２３】
上部筐体１０２の主表面上の大半のエリアは表示部１０３が占めている。表示部１０３は液晶や有機ＥＬ等のディスプレイデバイスを有し、その表示画面は常時、外部に露出している。表示部１０３の上部には、通常の通話時に用いられるスピーカ１０１が配置されている。
【００２４】
上部筐体１０２の表示部１０３の下側のエリアには、限られた操作を行うための操作部１０５が配置されている。操作部１０５には、発信キー１２２、電源／終話キー１２５、クリアキー１２３等の各種キー１２１〜１２６および入力装置１１０を含む。入力装置１１０は、いわゆるディスク型のジョグダイヤルを含み、中心から同心円上に並んだ、プッシュボタン１１４、方向指示キー１１３および回転リング１１２を有する。但し、入力装置１１０はディスク型のジョグダイヤルに限るものではなく、方向指示および決定の操作が行える任意の装置で足りる。音声を電気信号に変換するデバイスであるマイクロフォンは図に現れていないが、上部筐体１０２の下部に設けられている。
【００２５】
図３から分かるように、下部筐体２０２の主表面上には押圧操作されるキー入力部２０１が配置されており、図１の閉鎖状態ではキー入力部２０１は上部筐体１０２の背後に隠れる。キー入力部２０１にはテンキー等（０〜９の数字のほか＊，＃の記号も含む）が含まれる。
【００２６】
図４に、携帯電話機１００のハードウェア構成の概略を示す。この携帯電話機１００は、携帯電話機に特有の要素として、アンテナ３０１、送受信処理部３０３、変復調処理部３０５、データ処理部３０７、Ｄ／Ａ変換器３０９、スピーカ１０１（通話用）、スピーカ３１０（着信音等の鳴動用）、Ａ／Ｄ変換器３１１およびマイク３１２を備える。携帯電話機１００は、また、これらの各要素を制御するＣＰＵ，ＲＯＭ等を含むコントローラ３２５、このコントローラ３２５により作業領域やデータの一時記憶領域として利用されるメモリ３２７、ユーザインタフェースとして機能する表示部３２０（図１の１０３に対応）、操作部３２３、ならびにバイブレータ３２８を備える。操作部３２３は、キーロックスイッチ２４１やマナーキー２４２、操作部１０５、キー入力部２０１等を含む。
【００２７】
さて、図１〜図３から判るように、操作部１０５が常に外部に露出した構成では、上下筐体を閉じたままでも（すなわち、下部筐体２０２のテンキーを含むキー入力部２０１を外部に出さなくても）、電話の着信や受信メールなどの確認をすることができ、内部の電話帳に電話番号が登録されている相手に対する発呼を行うことが可能である。
【００２８】
その反面、鞄やポケットに収納している状態で誤って特定のキーやボタンが押されたときには、ユーザの意図しない動作が行われるおそれがある。例えば、方向指示キー１１３の一方向への押圧により送信履歴や着信履歴の画面に移行し、さらに発信キー１２２やプッシュボタン１１４の誤操作が発生すると、意図しない電話の発呼が行われてしまう。このような誤操作を防止するために、キーロックスイッチ２４１が設けられている。
【００２９】
本実施の形態におけるキーロックスイッチ２４１を操作すると、キーロックの設定と連動してマナーモードの設定が行われる。但し、連動動作を行いたくない場合には初期設定で連動動作を解除状態に設定すれば、キーロックの設定のみが行われる。キーロックスイッチ２４１で一旦設定されたキーロック状態は、再度のキーロックスイッチ２４１の操作により解除される。この際、キーロックと連動してマナーモードが設定されていた場合には、マナーモードも同時に解除される。
【００３０】
なお、本実施の形態の携帯電話機ではキーロックスイッチ２４１によりキーロックおよびマナーモードの連動設定を行う機能を備えるが、別途独立にマナーモードを設定するためのマナーキー２４２も設けている。この理由は、キーロックは行いたくないが、マナーモードの設定は行いたいという要請に応えるためである。
【００３１】
図５に、本実施の形態におけるキーロックスイッチ２４１の操作に関連した処理のフローチャートを示す。
【００３２】
キーロックスイッチ２４１の操作があったとき（Ｓ１１，Ｙｅｓ）、現在のロック設定状態を確認する（Ｓ１２）。ロック設定状態はメモリ３２７（図４）に記憶されている。現在のロック設定が無効状態であれば、このユーザの操作は、ロック設定がなされていない状態からロック設定を行うことを指示するものと判断する。そこで、初期設定において連動設定がなされているかどうかを確認する（Ｓ１３）。現在の連動設定の有無はメモリ３２７（図４）に記憶されている。連動設定がなされている場合には、キーロックとともにマナーモードの設定を行う（Ｓ１４）。連動設定がなされていない場合には、キーロック設定のみを行う（Ｓ１５）。
【００３３】
ステップＳ１２において、現在のロック設定が既に有効状態にある場合には、ユーザの操作は、ロック設定の解除を指示するものと判断する。そこで、初期設定において連動設定がなされているかどうかを確認する（Ｓ１６）。連動設定がなされている場合には、キーロックとマナーモードの両方を解除する（Ｓ１７）。連動設定がなされていない場合には、キーロックの解除のみを行う（Ｓ１８）。なお、前述したように、このキーロックはキー操作無効設定を目的とするものなので、解除に際して暗証番号の入力は要求されない。
【００３４】
このように、連動設定がなされている場合には、単一のキーロックスイッチ２４１の操作のみによって、キーロックとマナーモードの設定および解除を行うことが可能となる。
【００３５】
図６に示すように、携帯電話機が現在、キーロック状態にあるかどうかは、画面上の通常下部に設けられたガイド表示領域４１２に、キーロック状態を示すアイコン４０１が表示されることにより、認識できる。ガイド表示領域４１２には、入力装置（図１の１１０）やソフトキー（図１の１２１、１２４等）に割り当てられた機能のガイド表示は消去される。
【００３６】
また、携帯電話機が現在、マナーモードに入っているかどうかは、画面上の通常上部に設けられたいわゆるピクト表示領域４１０内に、マナーモードに入っていることを示すアイコン４０２が表示されることにより、認識できる。後述するように、マナーモードには各種のサブモードがあり得る。そのような場合には、選択されたサブモードに応じてアイコン４０２の図柄が変わるようにしてもよい。アイコン４０１や４０２の表示領域や領域内表示位置、図柄は図示の例に限定されるものではない。
【００３７】
図７に、キーロック／マナー連動設定画面の例を示す。ユーザは、キーロックスイッチ２４１の操作でキーロック設定と連動してマナーモードの設定を行うかどうかをこの画面で予め決定しておくことができる。この設定内容はメモリ３２７（図４）に不揮発的に記憶しておけば、電話機の電源をオフした後もその設定内容を保持しておくことができる。
【００３８】
図８に、マナーモードのサブモードを選択するためのモード選択の画面例を示す。ここでは、３種類のサブモード、すなわち、通常のマナーモード、サイレントモード、およびオリジナルマナーモードである。第１のサブモードである通常のマナーモードは、着信音およびメール受信音の発生を抑止し、バイブレータ３２８（図４）の動作のみを有効にするものである。第２のサブモードであるサイレントモードは、着信音、メール受信音の他、キー操作音、効果音、アラーム音等の発生も抑止するモードである。第３のサブモードであるオリジナルマナーモードは、ユーザが抑止する音や機能を自由に選択設定できるモードである。このようにして予め選択設定されているサブモードが、キーロックスイッチ２４１の連動動作時、およびマナーキー２４２の操作時に、機能することになる。
【００３９】
以上、本発明の好適な実施の形態について説明したが、上記で言及した以外にも種々の変形、変更を行うことが可能である。
【００４０】
例えば、携帯電話機にはＰＨＳ電話機も含みうる。スライド回転式の二つ折り型の形態を示したが、ストレート型等の他の形態の携帯電話機に適用してもよい。
【００４１】
キーロックとマナーモードの連動設定の有無を初期設定で設定するようにしたが、キーロックスイッチの操作態様の違いによって、操作時に、キーロック・マナーモード連動動作と、キーロック単独動作とを選択的に指示できるようにしてもよい。そのような操作態様の違いとしては、例えば、いわゆる長押しと呼ばれる、操作キーの所定時間以上の連続操作により、両動作を切り替えて指示することが可能である。
【図面の簡単な説明】
【００４２】
【図１】本発明発明が適用された携帯電話機の外観図である。
【図２】図１の携帯電話機の上下筐体が重ね合わされた閉鎖状態の平面図である。
【図３】図１の携帯電話機の上下筐体が開かれた開放状態の平面図である。
【図４】図１の携帯電話機のハードウェア構成の概略を示すブロック図である。
【図５】本発明の実施の形態におけるキーロックスイッチの操作に関連した処理のフローチャートである。
【図６】本発明の実施の形態における携帯電話機の表示画面上のアイコンの説明図である。
【図７】本発明の実施の形態におけるキーロック／マナー連動設定画面の例を示す図である。
【図８】本発明の実施の形態におけるマナーモードのサブモードを選択するためのモード選択の画面例を示す図である。
【符号の説明】
【００４３】
１０１…スピーカ、１０２…上部筐体、１０３…表示部、１０５…操作部、１１０…入力装置、１１２…回転リング、１１３…方向指示キー、１１４…プッシュボタン、１２２…発信キー、１２３…クリアキー、１２５…終話キー、２０１…キー入力部、２０２…下部筐体、２４１…キーロックスイッチ、２４２…マナーキー、２４３…メモキー、３０１…アンテナ、３０３…送受信処理部、３０５…変復調処理部、３０７…データ処理部、３０９…変換器、３１０…スピーカ、３１１…変換器、３１２…マイク、３２０…表示部、３２３…操作部、３２５…コントローラ、３２７…メモリ、３２８…バイブレータ、４０１…アイコン、４０２…アイコン、４１０…ピクト表示領域、４１２…ガイド表示領域
【図１】
2006050033.tif 000003
【図２】
2006050033.tif 000004
【図３】
2006050033.tif 000005
【図４】
2006050033.tif 000006
【図５】
2006050033.tif 000007
【図６】
2006050033.tif 000008
【図７】
2006050033.tif 000009
【図８】
2006050033.tif 000010